【手続補正書】
【提出日】平成16年7月28日(2004.7.28)
【手続補正１】
【補正対象書類名】明細書
【補正対象項目名】特許請求の範囲
【補正方法】変更
【補正の内容】
【特許請求の範囲】
【請求項１】
電動送風機の駆動に従って塵埃を含む空気を吸引し、該空気を吸気路を通して機外に排気する電気掃除機において、Ｈ+（Ｈ2Ｏ）nからなるプラスイオンと、Ｏ2-（Ｈ2Ｏ）mからなるマイナスイオンを発生するイオン発生器を具備したことを特徴とする電気掃除機。
【請求項２】
前記イオン発生器で発生させたイオンを前記吸気経路内に供給することを特徴とする請求項１に記載の電気掃除機。
【請求項３】
前記イオン発生器を掃除機本体内において熱源より隔離して設けたことを特徴とする請求項２に記載の電気掃除機。
【請求項４】
電動送風機の駆動に従って塵埃を含む空気を吸引し、機外に排気する電気掃除機において、Ｈ+（Ｈ2Ｏ）nからなるプラスイオンと、Ｏ2-（Ｈ2Ｏ）mからなるマイナスイオンを発生するイオン発生器を具備し、電動送風機より排気される空気に前記プラスイオンとマイナスイオンを混合させて機外に放出することを特徴とする電気掃除機。
【請求項５】
前記電動送風機に吸引された空気は浄化フィルターを通じて機外に排気されるとともに、該浄化フィルターを通過した空気に前記プラスイオンとマイナスイオンを混合させることを特徴とする請求項４に記載の電気掃除機。
【請求項６】
前記イオン発生器のイオン発生部に風速５０ｃｍ／ｓ以上の空気を送風したときに、そのイオン発生部から１０ｃｍ離れた位置において、プラスイオンとマイナスイオンの濃度をそれぞれ１０，０００個／ｃｍ3以上としたことを特徴とする請求項５に記載の電気掃除機。
【請求項７】
電動送風機を内装した掃除機本体の両側面に車輪を配し、該車輪に設けられた排気口から電動送風機の排気を行う電気掃除機において、前記車輪で形成した混合室内にＨ+（Ｈ2Ｏ）nからなるプラスイオンと、Ｏ2-（Ｈ2Ｏ）mからなるマイナスイオンを発生するイオン発生器を具備したことを特徴とする電気掃除機。
【請求項８】
電動送風機とイオン発生器を掃除機本体に内装し、該掃除機本体に電気掃除機の操作部とは独立して前記電動送風機と前記イオン発生器を駆動させる駆動スイッチを設けたことを特徴とする電気掃除機。
【請求項９】
前記駆動スイッチの操作後、前記電動送風機と前記イオン発生器を所定時間駆動させるタイマー手段を設けたことを特徴とする請求項８に記載の電気掃除機。
【請求項１０】
前記電動送風機の強弱制御に応じて、前記イオン発生器のイオン発生量を制御することを特徴とする請求項１〜請求項９のいずれかに記載の電気掃除機。
【請求項１１】
電気掃除機の保管状態を判断して、前記イオン発生器を一定時間駆動させることを特徴とする請求項１〜請求項９のいずれかに記載の電気掃除機。
【請求項１２】
前記イオン発生器にイオン発生電極を２つ設け、プラスイオンとマイナスイオンを別々の電極により発生させることを特徴とする請求項１〜請求項９のいずれかに記載の電気掃除機。
【請求項１３】
前記イオン発生器は、プラスイオンとマイナスイオンの発生量の割合を可変可能に制御できることを特徴とする請求項１〜請求項９のいずれかに記載の電気掃除機。
【手続補正２】
【補正対象書類名】明細書
【補正対象項目名】０００７
【補正方法】変更
【補正の内容】
【０００７】
【課題を解決するための手段】
本発明は上記従来の電気掃除機の問題点に鑑みて発明されたものであり、電動送風機の駆動に従ってゴミや粉塵・水などの塵埃を含む空気を吸引し、該空気を吸気路を通して機外に排気する電気掃除機において、イオン発生器を具備したことを特徴としており、イオン発生器で発生させたＨ+（Ｈ2Ｏ）nからなるプラスイオンと、Ｏ2-（Ｈ2Ｏ）mからなるマイナスイオンを前記吸気路内に供給するものである。
【手続補正３】
【補正対象書類名】明細書
【補正対象項目名】０００８
【補正方法】変更
【補正の内容】
【０００８】
この構成によれば、イオン発生器で発生したプラスイオンとマイナスイオンを、吸気路中に放出して空気流の殺菌を行うことになり、充分な除菌効果が期待できる。なお、イオン発生器を前記吸気路外に設けて、吸気路中に供給するようにしてもかまわない。その他、イオン発生器で発生させたプラスイオンとマイナスイオンを前記電動送風機の下流側の排気中に供給するようにしてもよい。
【手続補正４】
【補正対象書類名】明細書
【補正対象項目名】０００９
【補正方法】変更
【補正の内容】
【０００９】
ところで、イオン発生器からはプラスイオンとマイナスイオンとともにオゾンも副次的に生成する。よって、針状電極の周辺の空気通路部分に耐オゾン処理を施しておくと、オゾンによる劣化を防止することができる。周知の如く、オゾンは温度が高いほど酸化力が増加し、周辺を構成する部材、特に樹脂類の劣化を促進する働きがある。
【手続補正５】
【補正対象書類名】明細書
【補正対象項目名】００１０
【補正方法】変更
【補正の内容】
【００１０】
従って、オゾンの発生源である電極周辺のオゾンの酸化力を抑制するために、イオン発生器は電動送風機等の熱源より隔離して設けるのが理想的である。
【手続補正６】
【補正対象書類名】明細書
【補正対象項目名】００１１
【補正方法】変更
【補正の内容】
【００１１】
また、本発明の電気掃除機は、電動送風機に吸引された空気を浄化フィルターを通じて機外に排気させるとともに、該浄化フィルターを通過した空気に前記プラスイオンとマイナスイオンを混合させることを特徴としている。
【手続補正７】
【補正対象書類名】明細書
【補正対象項目名】００１２
【補正方法】変更
【補正の内容】
【００１２】
この構成によれば、浄化フィルターに吸着されずに通過した菌類の殺菌も行える。
【手続補正８】
【補正対象書類名】明細書
【補正対象項目名】００１３
【補正方法】変更
【補正の内容】
【００１３】
ところで、前記イオン発生器は、プラスイオンとマイナスイオンの両イオンあるいはマイナスイオンを発生するものである。プラスイオンとマイナスイオンの両イオンは空気中の浮遊菌を殺菌する作用があり、マイナスイオンは空間に放出されると、人間の気分をリラックスさせる作用があることが知られている。
【手続補正９】
【補正対象書類名】明細書
【補正対象項目名】００１４
【補正方法】変更
【補正の内容】
【００１４】
特に、前記イオン発生器のイオン発生部に風速５０ｃｍ／ｓ以上の空気を送風したときに、そのイオン発生部から１０ｃｍ離れた位置において、プラスイオンとマイナスイオンの濃度をそれぞれ１０，０００個／ｃｍ3以上とすると高い殺菌作用が得られるので好ましい。
【手続補正１０】
【補正対象書類名】明細書
【補正対象項目名】００１５
【補正方法】変更
【補正の内容】
【００１５】
また、本発明の電気掃除機は、電動送風機を内装した掃除機本体の両側面に車輪を配し、該車輪に設けられた排気口から電動送風機の排気を行う電気掃除機において、前記車輪で形成した混合室内にＨ+（Ｈ2Ｏ）nからなるプラスイオンと、Ｏ2-（Ｈ2Ｏ）mからなるマイナスイオンを発生するイオン発生器を具備したことを特徴としている。
【手続補正１１】
【補正対象書類名】明細書
【補正対象項目名】００１６
【補正方法】変更
【補正の内容】
【００１６】
この構成によれば、車輪で形成した混合室内でイオン発生器からマイナスイオンを発生させ、電動送風機の気流に従って車輪に設けられた排気口からプラスイオンとマイナスイオンを放出して室内の殺菌を行うことになり、充分な除菌効果が期待できる。
【手続補正１２】
【補正対象書類名】明細書
【補正対象項目名】００１７
【補正方法】変更
【補正の内容】
【００１７】
また、電動送風機とイオン発生器を掃除機本体に内装し、該掃除機本体に電気掃除機の操作部とは独立して前記電動送風機と前記イオン発生器を駆動させる駆動スイッチを設けると、例えば押し入れ等にホースを取り外して掃除機本体のみを置き、駆動スイッチを入れて押し入れ等の空間内の空気を吸排気するとともに、発生したプラスイオンとマイナスイオンを空間内に放出するようにして、空間内を浄化することができる。
【手続補正１３】
【補正対象書類名】明細書
【補正対象項目名】００１８
【補正方法】変更
【補正の内容】
【００１８】
この場合、前記駆動スイッチの操作後、前記電動送風機と前記イオン発生器を所定時間駆動させるタイマー手段を設けることが好ましい。
【手続補正１４】
【補正対象書類名】明細書
【補正対象項目名】００１９
【補正方法】変更
【補正の内容】
【００１９】
ところで、前記電動送風機の強弱制御に応じて、前記イオン発生器のイオン発生量を制御してもよい。
【手続補正１５】
【補正対象書類名】明細書
【補正対象項目名】００２０
【補正方法】変更
【補正の内容】
【００２０】
これにより、不必要にイオン発生器を駆動することなく寿命をのばせる。また、不必要にイオンを放出することを防止できる。
【手続補正１６】
【補正対象書類名】明細書
【補正対象項目名】００２１
【補正方法】変更
【補正の内容】
【００２１】
また、電気掃除機の保管状態を判断して、前記イオン発生器を一定時間駆動させてもよい。
【手続補正１７】
【補正対象書類名】明細書
【補正対象項目名】００２２
【補正方法】変更
【補正の内容】
【００２２】
これにより、保管時には比較的密閉された保管場所などの空間内の浄化を一定時間自動的に行える。
【手続補正１８】
【補正対象書類名】明細書
【補正対象項目名】００２３
【補正方法】変更
【補正の内容】
【００２３】
尚、１つのイオン発生電極によりプラスイオンとマイナスイオンの両イオンを発生させると、発生初期に一部が相殺されて実質的にイオン発生量が低下する問題がある。
【手続補正１９】
【補正対象書類名】明細書
【補正対象項目名】００２４
【補正方法】変更
【補正の内容】
【００２４】
このため、電極を２つ設け、プラスイオンとマイナスイオンを別々の電極により発生させるのが望ましい。
【手続補正２０】
【補正対象書類名】明細書
【補正対象項目名】００２５
【補正方法】変更
【補正の内容】
【００２５】
これにより、プラスイオンとマイナスイオンの発生量の割合を可変制御することも可能である。
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】０１０６
【補正方法】変更
【補正の内容】
【０１０６】
ここで、前記プラスイオンは、水素イオン（Ｈ+）の周囲に複数の水分子が付随したクラスターイオンであり、Ｈ+（Ｈ2Ｏ）n（ｎは自然数）として表される。また、マイナスイオンは、酸素イオン（Ｏ2-）の周囲に複数の水分子が付随したクラスターイオンであり、Ｏ2-（Ｈ2Ｏ）m（ｍは自然数）として表される。
【手続補正２７】
【補正対象書類名】明細書
【補正対象項目名】０１８２
【補正方法】変更
【補正の内容】
【０１８２】
また、イオン発生器とイオンを送風する送風手段を駆動することにより、掃除機の保管中にも室内の空気を浄化することができる。
【手続補正２８】
【補正対象書類名】明細書
【補正対象項目名】０１８３
【補正方法】削除
【補正の内容】